(57)【特許請求の範囲】
【請求項１】
ネットワークを介してＤＬＮＡ対応機器とＤＬＮＡ規格に準拠した通信が可能な通信部と、
メディアデータを再生表示可能な内蔵表示部と、
前記内蔵表示部の表示を制御するとともに、メディアデータを取得可能な制御部と、
ＤＬＮＡに非対応の第１外部表示装置とネットワークを介さずに接続可能な外部表示装置接続部とを備え、
前記通信部は、ネットワークを介して前記ＤＬＮＡ対応機器としての第２外部表示装置と通信可能であり、
前記制御部は、少なくとも前記通信部を介してネットワーク経由でデジタルメディアサーバからメディアデータを取得するとともに、前記外部表示装置接続部に接続された前記ＤＬＮＡに非対応の第１外部表示装置、前記ＤＬＮＡ対応機器としての第２外部表示装置および前記内蔵表示部のうち、少なくとも前記第１外部表示装置に対して、取得したメディアデータを再生表示させる制御を行うことが可能に構成されており、
前記制御部は、前記外部表示装置接続部を介して前記ＤＬＮＡに非対応の第１外部表示装置が接続されたことに基づいて、取得したメディアデータの再生表示先として前記ＤＬＮＡに非対応の第１外部表示装置を選択するように構成されている、携帯情報処理装置。
【請求項２】
前記制御部は、前記外部表示装置接続部に接続された前記ＤＬＮＡに非対応の第１外部表示装置に対して、取得したメディアデータを再生表示させるとともに、前記内蔵表示部にデジタルメディアコントローラとしての表示をさせることが可能に構成されている、請求項１に記載の携帯情報処理装置。
【請求項３】
メディアデータが格納された可搬型記録媒体を接続可能な記録媒体接続部をさらに備え、
前記制御部は、前記記録媒体接続部を介して、可搬型記録媒体からメディアデータを取得するとともに、前記外部表示装置接続部に接続された前記ＤＬＮＡに非対応の第１外部表示装置に対して、取得したメディアデータを再生表示させる制御を行うことが可能に構成されている、請求項１または２に記載の携帯情報処理装置。
【請求項４】
メディアデータを格納可能な内蔵メモリをさらに備え、
前記制御部は、前記内蔵メモリからメディアデータを取得するとともに、前記外部表示装置接続部に接続された前記ＤＬＮＡに非対応の第１外部表示装置に対して、取得したメディアデータを再生表示させる制御を行うことが可能に構成されている、請求項１〜３のいずれか１項に記載の携帯情報処理装置。
【請求項５】
前記制御部は、取得したメディアデータを前記内蔵表示部に再生表示させるとともに、前記外部表示装置接続部に接続された前記ＤＬＮＡに非対応の第１外部表示装置に対して、前記内蔵表示部により再生表示するメディアデータと同じメディアデータを再生表示させることが可能に構成されている、請求項１〜４のいずれか１項に記載の携帯情報処理装置。
【請求項６】
前記制御部は、デジタルメディアコントローラとして、デジタルメディアサーバのメディアデータをデジタルメディアレンダラとしての前記第２外部表示装置に再生表示させる制御を行うとともに、前記内蔵表示部にデジタルメディアコントローラとしての表示をさせることが可能に構成されている、請求項１〜５のいずれか１項に記載の携帯情報処理装置。
【請求項７】
前記外部表示装置接続部は、前記ネットワークを介さずに接続された第１外部表示装置とＨＤＭＩ接続可能なＨＤＭＩ接続部を含む、請求項１〜６のいずれか１項に記載の携帯情報処理装置。
【発明の詳細な説明】
【技術分野】
【０００１】
この発明は、携帯情報処理装置に関し、特に、メディアデータを再生表示可能な内蔵表示部を備えた携帯情報処理装置に関する。
【背景技術】
【０００２】
従来、メディアデータを再生表示可能な内蔵表示部を備えた携帯情報処理装置が知られている（たとえば、特許文献１参照）。
【０００３】
上記特許文献１には、ＤＬＮＡ（Ｄｉｇｉｔａｌ  Ｌｉｖｉｎｇ  Ｎｅｔｗｏｒｋ  Ａｌｌｉａｎｃｅ：登録商標）に対応するリモートコントローラ（携帯情報処理装置）が開示されている。このリモートコントローラは内蔵表示部を有しており、ＤＬＮＡでネットワークに相互接続された機器などから取得したメディアデータを内蔵表示部に表示することが可能である。また、上記特許文献１では明記されていないが、ＤＬＮＡに対応した外部表示装置がネットワークでリモートコントローラに接続された場合には、リモートコントローラはＤＬＮＡのネットワーク内のメディアデータをその外部表示装置に表示させることが可能であると考えられる。
【先行技術文献】
【特許文献】
【０００４】
【特許文献１】特開２００７−１８４７４５号公報
【発明の概要】
【発明が解決しようとする課題】
【０００５】
しかしながら、上記特許文献１に記載のリモートコントローラでは、ＤＬＮＡに対応した外部表示装置にメディアデータを表示させることが可能である一方、ＤＬＮＡに対応していない外部表示装置はＤＬＮＡに準拠した通信を行うことができないという不都合がある。このため、ＤＬＮＡに非対応の外部表示装置を用いる場合には、メディアデータをその外部表示装置に送信することができないので、ＤＬＮＡに非対応の外部表示装置にはそのメディアデータを表示させることができないという問題点がある。
【０００６】
この発明は、上記のような課題を解決するためになされたものであり、この発明の１つの目的は、ＤＬＮＡに非対応の外部表示装置にメディアデータを表示させることが可能な携帯情報処理装置を提供することである。
【課題を解決するための手段および発明の効果】
【０００７】
この発明の一の局面による携帯情報処理装置は、ネットワークを介してＤＬＮＡ対応機器とＤＬＮＡ規格に準拠した通信が可能な通信部と、メディアデータを再生表示可能な内蔵表示部と、内蔵表示部の表示を制御するとともに、メディアデータを取得可能な制御部と、ＤＬＮＡに非対応の第１外部表示装置とネットワークを介さずに接続可能な外部表示装置接続部とを備え、通信部は、ネットワークを介してＤＬＮＡ対応機器としての第２外部表示装置と通信可能であり、制御部は、少なくとも通信部を介してネットワーク経由でデジタルメディアサーバからメディアデータを取得するとともに、外部表示装置接続部に接続されたＤＬＮＡに非対応の第１外部表示装置、ＤＬＮＡ対応機器としての第２外部表示装置および内蔵表示部のうち、少なくとも第１外部表示装置に対して、取得したメディアデータを再生表示させる制御を行うことが可能に構成されており、制御部は、外部表示装置接続部を介してＤＬＮＡに非対応の第１外部表示装置が接続されたことに基づいて、取得したメディアデータの再生表示先としてＤＬＮＡに非対応の第１外部表示装置を選択するように構成されている。なお、本発明におけるＤＬＮＡ規格は、ＤＬＮＡ規格そのもののみならず、ＤＬＮＡ規格と実質的に均等（同等）な規格も含む概念である。
【０００８】
この一の局面による携帯情報処理装置では、上記のように、ＤＬＮＡに非対応の第１外部表示装置とネットワークを介さずに接続可能な外部表示装置接続部を設けるとともに、外部表示装置接続部に接続されたＤＬＮＡに非対応の第１外部表示装置に対してメディアデータを再生表示させる制御を行うことによって、ＤＬＮＡに非対応の第１外部表示装置を外部表示装置接続部に接続することにより、メディアデータをＤＬＮＡに非対応の第１外部表示装置に再生表示させることができる。これにより、ＤＬＮＡ規格に対応していないためにＤＬＮＡ規格に準拠した通信ができず、ネットワークを介してメディアデータを取得することができないＤＬＮＡに非対応の外部表示装置を用いる場合にも、そのＤＬＮＡに非対応の外部表示装置にメディアデータを再生表示することができる。また、少なくとも通信部を介してネットワーク経由でデジタルメディアサーバからメディアデータを取得することによって、ＤＬＮＡに非対応の第１外部表示装置に対しても、容易に、ネットワークを介してデジタルメディアサーバからメディアデータを取得するとともに、そのメディアデータをＤＬＮＡに非対応の第１外部表示装置に再生表示させることができる。
【０００９】
上記一の局面による携帯情報処理装置において、好ましくは、制御部は、外部表示装置接続部に接続されたＤＬＮＡに非対応の第１外部表示装置に対して、取得したメディアデータを再生表示させるとともに、内蔵表示部にデジタルメディアコントローラとしての表示をさせることが可能に構成されている。このように構成すれば、内蔵表示部にデジタルメディアコントローラとしての表示をさせながらＤＬＮＡに非対応の外部表示装置（第１外部表示装置）を用いてメディアデータを再生表示させる場合でも、携帯情報処理装置をデジタルメディアコントローラとして用いてＤＬＮＡに対応した外部表示装置にメディアデータを再生表示させる場合と同様の操作感をユーザに与えることができる。
【００１０】
上記一の局面による携帯情報処理装置において、好ましくは、メディアデータが格納された可搬型記録媒体を接続可能な記録媒体接続部をさらに備え、制御部は、記録媒体接続部を介して、可搬型記録媒体からメディアデータを取得するとともに、外部表示装置接続部に接続されたＤＬＮＡに非対応の第１外部表示装置に対して、取得したメディアデータを再生表示させる制御を行うことが可能に構成されている。このように構成すれば、記録媒体接続部に可搬型記録媒体を接続することにより、可搬型記録媒体に格納されたメディアデータをＤＬＮＡに非対応の第１外部表示装置に再生表示させることができる。
【００１１】
上記一の局面による携帯情報処理装置において、好ましくは、メディアデータを格納可能な内蔵メモリをさらに備え、制御部は、内蔵メモリからメディアデータを取得するとともに、外部表示装置接続部に接続されたＤＬＮＡに非対応の第１外部表示装置に対して、取得したメディアデータを再生表示させる制御を行うことが可能に構成されている。このように構成すれば、内蔵メモリに格納されたメディアデータをＤＬＮＡに非対応の第１外部表示装置に再生表示させることができる。
【００１２】
上記一の局面による携帯情報処理装置において、好ましくは、制御部は、取得したメディアデータを内蔵表示部に再生表示させるとともに、外部表示装置接続部に接続されたＤＬＮＡに非対応の第１外部表示装置に対して、内蔵表示部により再生表示するメディアデータと同じメディアデータを再生表示させることが可能に構成されている。このように構成すれば、メディアデータを携帯情報処理装置と第１外部表示装置との両方において同時に再生表示することができる。
【００１３】
上記一の局面による携帯情報処理装置において、好ましくは、通信部は、ネットワークを介してＤＬＮＡ対応機器としての第２外部表示装置と通信可能であり、制御部は、デジタルメディアコントローラとして、デジタルメディアサーバのメディアデータをデジタルメディアレンダラとしての第２外部表示装置に再生表示させる制御を行うとともに、内蔵表示部にデジタルメディアコントローラとしての表示をさせることが可能に構成されている。このように構成すれば、ＤＬＮＡに対応した第２外部表示装置がネットワークに接続されている場合には、携帯情報処理装置をデジタルメディアコントローラとして用いて内蔵表示部にデジタルメディアコントローラとしての表示をさせながら、ネットワーク内のメディアデータを第２外部表示装置に再生表示させることができる。
【００１４】
上記一の局面による携帯情報処理装置において、好ましくは、外部表示装置接続部は、ネットワークを介さずに接続された第１外部表示装置とＨＤＭＩ接続可能なＨＤＭＩ接続部を含む。このように構成すれば、携帯情報処理装置のＨＤＭＩ接続部と第１外部表示装置とをＨＤＭＩ接続することにより、メディアデータのみならず制御信号等も容易に送ることができるので、容易に携帯情報処理装置とＤＬＮＡに非対応の第１外部表示装置とを連携させることができる。
【図面の簡単な説明】
【００１５】
【図１】本発明の一実施形態による携帯情報処理装置を用いたホームネットワークシステムの構成を示した図である。
【図２】本発明の一実施形態による携帯情報処理装置の概観を示す斜視図である。
【図３】本発明の一実施形態による携帯情報処理装置の概観を示す斜視図である。
【図４】本発明の一実施形態による携帯情報処理装置の構成を示すブロック図である。
【図５】本発明の一実施形態による携帯情報処理装置の液晶表示部に表示されるＤＭＣとしての画面の一例を説明するための図である。
【図６】図１に示したホームネットワークシステムの表示態様（第１表示態様）を説明するための図である。
【図７】図１に示したホームネットワークシステムの表示態様（第２表示態様）を説明するための図である。
【図８】図１に示したホームネットワークシステムの表示態様（第３表示態様）を説明するための図である。
【発明を実施するための形態】
【００１６】
以下、本発明を具体化した実施形態を図面に基づいて説明する。
【００１７】
まず、図１〜図４を参照して、本発明の一実施形態による携帯情報処理装置１を用いたホームネットワークシステムの構成について説明する。
【００１８】
図１に示すように、このホームネットワークシステムでは、本発明の一実施形態による携帯情報処理装置１を含む様々な機器同士が、有線ＬＡＮ、無線ＬＡＮまたはそれらの組み合わせからなるホームネットワークで相互接続されている。これらの機器はＤＬＮＡ（Ｄｉｇｉｔａｌ  Ｌｉｖｉｎｇ  Ｎｅｔｗｏｒｋ  Ａｌｌｉａｎｃｅ）に対応しており、これらの機器同士でＤＬＮＡ規格に準拠した通信を相互に行うことが可能である。
【００１９】
本実施形態では、ホームネットワークシステムを構成するＤＬＮＡ対応機器として、携帯情報処理装置１、メディアデータを保有するメディア保有機器２、映像や画像などのコンテンツに関するメディアデータを再生表示することが可能なテレビジョン装置３およびインターネットに接続するためのルータ４が含まれる。また、携帯情報処理装置１には、ＤＬＮＡ非対応のテレビジョン装置５がＨＤＭＩケーブル１００により接続されている。なお、テレビジョン装置３は、本発明の「第２外部表示装置」の一例であり、テレビジョン装置５は、本発明の「第１外部表示装置」の一例である。メディア保有機器２としては、パーソナルコンピュータ、ハードディスクレコーダ、デジタルカメラなどの映像や画像などのコンテンツに関するメディアデータを保有する機器が含まれる。また、ルータ４を介してインターネットに接続することにより、インターネット上のコンテンツ（メディアデータ）を取得することが可能である。
【００２０】
ここで、本実施形態では、携帯情報処理装置１にＨＤＭＩ接続されたＤＬＮＡ非対応のテレビジョン装置５に対して、ＤＬＮＡ対応機器であるメディア保有機器２からホームネットワークを介してＤＬＮＡ規格に準拠した通信により取得したメディアデータを再生表示させることが可能なように構成されている。この場合、携帯情報処理装置１は、テレビジョン装置５と同一のメディアデータを液晶表示部１０に表示させること（ミラー表示）が可能であるとともに、液晶表示部１０に後述するデジタルメディアコントローラとしての表示を行うことも可能なように構成されている。さらに、携帯情報処理装置１は、後述する内蔵メモリ（フラッシュメモリ１８ｂ）やＳＤカード接続部１４に接続されたＳＤカード５０からメディアデータを取得してＤＬＮＡ非対応のテレビジョン装置５にメディアデータを再生表示させることが可能に構成されている。また、携帯情報処理装置１は、通常のＤＬＮＡ対応機器と同様、メディア保有機器２のメディアデータをテレビジョン装置３に再生表示させることも可能であり、この場合、液晶表示部１０には、デジタルメディアコントローラとしての表示が行われるように構成されている。
【００２１】
次に、ＤＬＮＡによるホームネットワークにおける各々のＤＬＮＡ対応機器の機能について説明する。メディア保有機器２は、ホームネットワーク内においてメディアデータの供給源としてのデジタルメディアサーバ（以下、ＤＭＳと呼ぶ）として機能する。また、テレビジョン装置３は、ホームネットワーク内において表示部としてのデジタルメディアレンダラ（以下、ＤＭＲと呼ぶ）として機能する。また、携帯情報処理装置１は、ＤＭＳからメディアデータを直接取得して液晶表示部１０に再生表示させるデジタルメディアプレーヤ（ＤＭＰ）として機能するとともに、デジタルメディアサーバ（ＤＭＳ）から取得したメディアデータをデジタルメディアレンダラ（ＤＭＲ）に表示させるデジタルメディアコントローラ（ＤＭＣ）として機能する。ここで、本実施形態では、携帯情報処理装置１は、上記した通常のＤＬＮＡ対応機器としてのＤＭＰおよびＤＭＣの機能に加えて、ＨＤＭＩ接続されたＤＬＮＡ非対応のテレビジョン装置５に対しても擬似的にＤＭＣとして機能するように構成されている。すなわち、携帯情報処理装置１は、ＤＭＳからＤＬＮＡ規格に準拠して取得したメディアデータをＨＤＭＩ接続されたＤＬＮＡ非対応のテレビジョン装置５に再生表示させるとともに、携帯情報処理装置１の液晶表示部１０には、ＤＭＣとしての表示をさせることが可能である。
【００２２】
上記のように、本実施形態による携帯情報処理装置１は、ＤＬＮＡ対応機器を用いたホームネットワークシステム内において、再生表示対象のメディアデータの所在およびその再生表示先などの状況によって、ＤＭＰとしても機能し、ＤＭＣとしても機能する。なお、携帯情報処理装置１は、ホームネットワークに接続されていない場合であっても、自己が保有するメディアデータ（コンテンツ）を自己の再生表示機能によって再生表示することが可能である。
【００２３】
これらのＤＬＮＡ対応機器はホームネットワークを介して相互に通信し合っており、ＤＭＣまたはＤＭＰとしての携帯情報処理装置１は、ホームネットワーク内のＤＭＳに存在するメディアデータを随時認識することが可能である。また、携帯情報処理装置１は、自己の内蔵メモリ（後述するフラッシュメモリ１８ｂ）に保有するメディアデータや自己に接続される記録媒体（後述するＳＤカード５０、ＵＳＢメモリなど）が保有するメディアデータを認識することが可能である。すなわち、本実施形態による携帯情報処理装置１は、自己がアクセス可能なメディアデータの全てを随時認識しており、そのメディアデータをホームネットワークを経由するかまたは内蔵メモリ（フラッシュメモリ１８ｂ）または記憶媒体から取得することが可能であるとともに、自己またはホームネットワーク内のＤＭＲまたはＨＤＭＩ接続された外部表示装置（テレビジョン装置５）において再生表示することが可能である。
【００２４】
また、本実施形態による携帯情報処理装置１は、ホームネットワークのルータ４を介してインターネット接続可能に構成されており、インターネット接続をすることにより電子メール、ビデオチャット、ボイスチャットおよびＩＰ電話機能などを使用可能に構成されている。また、携帯情報処理装置１は、インターネット接続をしていない場合にも、オーディオ機器類（図示せず）のリモコンとして機能するとともに、携帯情報処理装置１自身をオーディオビジュアル機器（ＡＶ機器）として使用可能に構成されている。
【００２５】
次に、本実施形態による携帯情報処理装置１の構造について説明する。図２〜図４に示すように、本実施形態による携帯情報処理装置１は、情報を表示する液晶表示部１０を含んでいる。なお、液晶表示部１０は、本発明の「内蔵表示部」の一例である。液晶表示部１０は、図４に示すように、タッチパネル機能を有しており、ユーザが液晶表示部１０に表示された画面上の操作ボタンを押下することにより、アプリケーションに従った操作が可能なように構成されている。特に、本実施形態では、ユーザの操作によって液晶表示部１０に携帯情報処理装置１がアクセス可能なメディアデータ（コンテンツ）の全てまたは一部がリスト表示されるとともに、そのリストの中からユーザが再生表示したいコンテンツを選択することにより、そのコンテンツが液晶表示部１０に再生表示されるように構成されている。また、再生表示先が複数ある場合（たとえば、携帯情報処理装置１の液晶表示部１０およびＤＭＲとしてのテレビジョン装置３など）には、携帯情報処理装置１におけるタッチパネルの操作によって、ユーザはコンテンツの再生表示先（上記の例では、液晶表示部１０またはテレビジョン装置３）を選択することも可能である。なお、テレビジョン装置５がＨＤＭＩ接続されている場合には、液晶表示部１０においてコンテンツを再生表示するか否かに拘わらず、少なくともテレビジョン装置５には自動的にコンテンツが再生表示されるように構成されている。
【００２６】
また、図２〜図４に示すように、携帯情報処理装置１は、スイッチ部１１と、無線ＬＡＮ接続部１２（図４参照）と、音声ケーブル接続部１３と、ＳＤカード接続部１４（図４参照）と、ＨＤＭＩ接続部１５と、ＵＳＢ接続部１６と、電源コネクタ１７（図３参照）とをさらに含んでいる。
【００２７】
スイッチ部１１は、携帯情報処理装置１の各モード（リモコンモードやメディアプレーヤモードなど）を切り替えるなどの操作を行うために設けられている。無線ＬＡＮ接続部１２は、携帯情報処理装置１をホームネットワークに接続するために設けられている。なお、無線ＬＡＮ接続部１２は、本発明の「通信部」の一例である。ＳＤカード接続部１４は、ＳＤカード５０を挿入可能なカードスロット１４ａと、カードスロット１４ａに挿入されたＳＤカード５０に格納されたメディアデータなどのデータを読み取る読取部１４ｂとを有している。なお、ＳＤカード接続部１４およびＳＤカード５０は、それぞれ、本発明の「記録媒体接続部」および「可搬型記録媒体」の一例である。
【００２８】
また、ＨＤＭＩ接続部１５は、ＨＤＭＩケーブル１００（図１参照）を介して携帯情報処理装置１がテレビジョン装置５と接続された場合に、ＤＬＮＡに非対応のテレビジョン装置５に対して映像および音声データを送信可能に構成されている。なお、ＨＤＭＩ接続部１５は、本発明の「外部表示装置接続部」の一例である。
【００２９】
また、２つのＵＳＢ接続部１６は、図示しないＵＳＢケーブルを介してＵＳＢメモリやハードディスクなどの外部記憶装置（図示せず）と接続するために設けられており、携帯情報処理装置１は外部記憶装置に格納されたメディアデータなどのデータを読み取ることが可能である。また、ＵＳＢ接続部１６を用いてパーソナルコンピュータなどの外部機器に接続することにより、外部機器と携帯情報処理装置１との間でデータの送受信などを行うことも可能である。なお、ＵＳＢ接続部１６およびＵＳＢメモリやハードディスクなどの外部記憶装置は、それぞれ、本発明の「記録媒体接続部」および「可搬型記録媒体」の一例である。また、音声ケーブル接続部１３は、イヤホン（図示せず）またはヘッドホン（図示せず）などを接続可能に構成されている。また、電源コネクタ１７は、携帯情報処理装置１に電力を取り入れるために設けられている。
【００３０】
また、携帯情報処理装置１は、ＣＰＵ１８ａ、フラッシュメモリ１８ｂおよび主メモリ１８ｃを含んでいる。ＣＰＵ１８ａは、フラッシュメモリ１８ｂに記憶されているプログラムを主メモリ１８ｃに読み出して実行することが可能である。また、フラッシュメモリ１８ｂにはプログラムデータのみならず、液晶表示部１０において再生表示可能なメディアデータなども格納されている。第１実施形態では、ＣＰＵ１８ａは、アクセス可能なメディアデータを随時認識し、ユーザの操作に応じてメディアデータ（コンテンツ）のリスト表示を行う制御、ユーザによって選択されたコンテンツのメディアデータの取得およびそのコンテンツの再生表示を液晶表示部１０において行う制御、または他の表示再生機器（ＤＬＮＡ対応のテレビジョン装置３またはＤＬＮＡ非対応のテレビジョン装置５など）にメディアデータ（コンテンツ）の送信および再生表示命令を行う制御などを行うように構成されている。なお、ＣＰＵ１８ａは、本発明の「制御部」の一例であり、フラッシュメモリ１８ｂは、本発明の「内蔵メモリ」の一例である。
【００３１】
次に、図５〜図８を参照して、本実施形態による携帯情報処理装置１のメディアデータ（コンテンツ）の再生表示に関する表示態様について説明する。
【００３２】
携帯情報処理装置１は、ホームネットワークを介して取得したメディアデータ、携帯情報処理装置１の内蔵メモリ（フラッシュメモリ１８ｂ）に格納されているメディアデータ、ＵＳＢ接続部１６に接続されたハードディスクなどの外部記憶装置に格納されたメディアデータ、またはＳＤカード接続部１４に接続されたＳＤカード５０に格納されたメディアデータなどを随時認識し、その認識したメディアデータに関するＤＭＣとしての表示を液晶表示部１０において行うように構成されている。たとえば、図５に示すように、携帯情報処理装置１は、認識したメディアデータ（コンテンツ）を液晶表示部１０にリスト表示することが可能に構成されている。そして、液晶表示部１０にリスト表示されたコンテンツの中からユーザが再生表示するコンテンツを選択することにより、選択されたコンテンツを携帯情報処理装置１において再生表示することが可能である。また、携帯情報処理装置１は、選択されたコンテンツを、自己の液晶表示部１０、ホームネットワークに接続されたＤＬＮＡ対応のテレビジョン装置３または携帯情報処理装置１にＨＤＭＩ接続されたＤＬＮＡ非対応のテレビジョン装置５に再生表示させるように制御することが可能である。
【００３３】
本実施形態による携帯情報処理装置１を用いたホームネットワークシステムでは、この携帯情報処理装置１におけるコンテンツのリスト表示（図５参照）および再生表示と、外部のテレビジョン装置３またはテレビジョン装置５におけるコンテンツの再生表示とを組み合わせて、複数の表示態様をとることが可能である。具体的には、図６〜図８に示すように、携帯情報処理装置１は、ホームネットワークに接続されたＤＬＮＡ対応のテレビジョン装置３をＤＭＲとして用いる第１表示態様（本来のＤＬＮＡ機能による表示態様）と、携帯情報処理装置１にＨＤＭＩ接続されたＤＬＮＡ非対応のテレビジョン装置５を擬似ＤＭＲとして用いる第２表示態様（擬似ＤＬＮＡ機能による表示態様）と、携帯情報処理装置１における再生表示コンテンツと同じコンテンツを携帯情報処理装置１にＨＤＭＩ接続されたＤＬＮＡ非対応のテレビジョン装置５においても再生表示する第３表示態様（ミラー表示機能による表示態様）とを主にとることが可能である。以下、詳細に説明する。
【００３４】
（本来のＤＬＮＡ機能による第１表示態様）
図６に示すように、第１表示態様は、ホームネットワーク内にＤＭＲ（デジタルメディアレンダラ）が存在しており、コンテンツの再生表示先としてそのＤＭＲ（ＤＭＲが複数存在する場合には、そのいずれか）が選択された場合の表示態様である。第１表示態様においては、携帯情報処理装置１およびＤＬＮＡ対応のテレビジョン装置３がそれぞれＤＭＣ（デジタルメディアコントローラ）およびＤＭＲとなり、ホームネットワークに接続されたＤＭＲ（本実施形態では、ＤＬＮＡ対応のテレビジョン装置３）にメディアデータが再生表示される。この場合、ユーザがＤＭＳ（デジタルメディアサーバ）としてのメディア保有機器２内のメディアデータを選択した場合には、ＤＭＣとしての携帯情報処理装置１は、ＤＭＳのメディアデータをテレビジョン装置３に再生表示させるように、ＤＭＳとしてのメディア保有機器２およびＤＭＲとしてのテレビジョン装置３を制御する。この場合、携帯情報処理装置１はメディア保有機器２およびテレビジョン装置３に制御命令を出力するだけであり、メディアデータ自体は携帯情報処理装置１を介さずにメディア保有機器２からテレビジョン装置３に直接伝送される。また、ユーザが携帯情報処理装置１内のメディアデータ（フラッシュメモリ１８ｂに格納されたメディアデータ、ＵＳＢ接続部１６に接続された記憶装置に格納されたメディアデータ、ＳＤカード接続部１４に接続されたＳＤカード５０に格納されたメディアデータ）を選択した場合には、携帯情報処理装置１は、選択されたメディアデータをホームネットワークを介してテレビジョン装置３に送信するとともに、そのメディアデータを再生表示するようにテレビジョン装置３を制御する。
【００３５】
この第１表示態様では、テレビジョン装置３にコンテンツを再生表示している間、携帯情報処理装置１の液晶表示部１０にはコンテンツのリスト表示などのＤＭＣとしての表示がされるように構成されている。
【００３６】
（擬似ＤＬＮＡ機能による第２表示態様）
図７に示すように、第２表示態様は、ＤＬＮＡ非対応のテレビジョン装置５が携帯情報処理装置１にＨＤＭＩケーブル１００を介してＨＤＭＩ接続された場合の表示態様である。第２表示態様においては、ＨＤＭＩ接続されたことを検出した時点でコンテンツの再生表示先がテレビジョン装置５に決定される。この場合、ユーザが携帯情報処理装置１においてコンテンツを選択した場合には、そのコンテンツがテレビジョン装置５に再生表示される。ここで、ユーザがメディア保有機器２内のメディアデータを選択した場合には、ホームネットワークに接続されていないテレビジョン装置５にメディア保有機器２から直接メディアデータを送信することはできないので、携帯情報処理装置１は、選択されたメディアデータをメディア保有機器２から取得し、取得したメディアデータをテレビジョン装置５にＨＤＭＩケーブル１００を介して送信するとともに、そのメディアデータ（コンテンツ）を再生表示するようにテレビジョン装置５を制御する。また、ユーザが携帯情報処理装置１内のメディアデータを選択した場合には、携帯情報処理装置１は、選択されたメディアデータをテレビジョン装置５に送信するとともに、そのメディアデータ（コンテンツ）を再生表示するようにテレビジョン装置５を制御する。
【００３７】
この第２表示態様においても、テレビジョン装置５にコンテンツを再生表示している間、携帯情報処理装置１の液晶表示部１０にはコンテンツのリスト表示などのＤＭＣとしての表示がされるように構成されている。したがって、第１表示態様および第２表示態様のいずれにおいても、ユーザが選択したコンテンツがテレビジョン装置（ＤＭＲとしてのテレビジョン装置３または本来のＤＭＲではない擬似ＤＭＲとしてのテレビジョン装置５）に再生表示されながら、携帯情報処理装置１にはＤＭＣ（第２表示態様では、本来のＤＭＣではない擬似ＤＭＣ）としての表示が行われる。すなわち、ＤＬＮＡ対応のテレビジョン装置３にコンテンツを再生表示する第１表示態様と、ＤＬＮＡ非対応のテレビジョン装置５にコンテンツを再生表示する第２表示態様とで、ユーザの使用感（ユーザの携帯情報処理装置１における操作内容およびその操作による再生表示などの操作結果）は同一であり、この点が本実施形態の携帯情報処理装置１を用いる場合のユーザにとっての特徴的な利点である。
【００３８】
（ミラー表示機能による第３表示態様）
図８に示すように、第３表示態様は、第２表示態様と異なり、ユーザに選択されたコンテンツが携帯情報処理装置１とＤＬＮＡ非対応のテレビジョン装置５との両方に再生表示される場合である。第３表示態様においては、ユーザがメディア保有機器２内のメディアデータを選択した場合には、携帯情報処理装置１は、選択されたメディアデータをホームネットワークを介してメディア保有機器２から取得し、取得したメディアデータ（コンテンツ）を液晶表示部１０に再生表示しながら、そのメディアデータをＨＤＭＩケーブル１００を介してテレビジョン装置５に送信して、送信したメディアデータ（コンテンツ）を再生表示するようにテレビジョン装置５を制御する。また、ユーザが携帯情報処理装置１内のメディアデータを選択した場合には、携帯情報処理装置１は、選択されたメディアデータ（コンテンツ）を再生表示しながら、選択されたメディアデータをＨＤＭＩケーブル１００を介してテレビジョン装置５に送信して、送信したメディアデータ（コンテンツ）を再生表示するようにテレビジョン装置５を制御する。この第３表示態様では、携帯情報処理装置１は、自身がコンテンツを再生表示するＤＭＰ（デジタルメディアプレーヤ）として機能している。
【００３９】
本実施形態では、上記のように、ＤＬＮＡに非対応のテレビジョン装置５とホームネットワークを介さずに接続可能なＨＤＭＩ接続部１５を設けるとともに、ＨＤＭＩ接続部１５に接続されたＤＬＮＡに非対応のテレビジョン装置５に対してメディアデータを再生表示させる制御を行うことによって、ＤＬＮＡに非対応のテレビジョン装置５をＨＤＭＩ接続部１５に接続することにより、メディアデータをＤＬＮＡに非対応のテレビジョン装置５に再生表示させることができる。これにより、ＤＬＮＡ規格に対応していないためにＤＬＮＡ規格に準拠した通信ができず、ホームネットワークを介してメディアデータを取得することができないＤＬＮＡに非対応のテレビジョン装置５を用いる場合にも、そのＤＬＮＡに非対応のテレビジョン装置５にメディアデータ（コンテンツ）を再生表示することができる。
【００４０】
また、本実施形態では、上記のように、ホームネットワーク経由でＤＭＳからメディアデータを取得するとともに、ＨＤＭＩ接続部１５に接続されたＤＬＮＡに非対応のテレビジョン装置５に対して、取得したメディアデータ（コンテンツ）を再生表示させる制御を行うことが可能なように携帯情報処理装置１を構成している。このように構成することによって、ＤＬＮＡに非対応のテレビジョン装置５に対しても、容易に、ホームネットワークを介してＤＭＳからメディアデータを取得するとともに、そのメディアデータ（コンテンツ）をＤＬＮＡに非対応のテレビジョン装置５に再生表示させることができる。
【００４１】
また、本実施形態では、上記のように、自己に接続されるＳＤカード５０やＵＳＢメモリなどの記録媒体からメディアデータを取得するとともに、ＨＤＭＩ接続部１５に接続されたＤＬＮＡに非対応のテレビジョン装置５に対して、取得したメディアデータを再生表示させる制御を行うことが可能なように携帯情報処理装置１を構成している。このように構成することによって、ＳＤカード接続部１４およびＵＳＢ接続部１６にＳＤカード５０やＵＳＢメモリなどを接続することにより、ＳＤカード５０やＵＳＢメモリなどに格納されたメディアデータ（コンテンツ）をＤＬＮＡに非対応のテレビジョン装置５に再生表示させることができる。
【００４２】
また、本実施形態では、上記のように、携帯情報処理装置１に内蔵されたフラッシュメモリ１８ｂからメディアデータを取得するとともに、ＨＤＭＩ接続部１５に接続されたＤＬＮＡに非対応のテレビジョン装置５に対して、取得したメディアデータを再生表示させる制御を行うことが可能なように携帯情報処理装置１を構成している。このように構成することによって、フラッシュメモリ１８ｂに格納されたメディアデータ（コンテンツ）をＤＬＮＡに非対応のテレビジョン装置５に再生表示させることができる。
【００４３】
また、本実施形態では、上記のように、ＨＤＭＩ接続部１５に接続されたＤＬＮＡに非対応のテレビジョン装置５に対して、取得したメディアデータ（コンテンツ）を再生表示させるとともに、液晶表示部１０にＤＭＣとしての表示をさせることが可能なように構成している。このように構成することによって、液晶表示部１０にＤＭＣとしての表示をさせながらＤＬＮＡに非対応の外部表示装置（テレビジョン装置５）を用いてメディアデータ（コンテンツ）を再生表示させる場合でも、携帯情報処理装置１をＤＭＣとして用いてＤＬＮＡに対応したテレビジョン装置３にメディアデータ（コンテンツ）を再生表示させる場合と同様の操作感をユーザに与えることができる。
【００４４】
また、本実施形態では、上記のように、取得したメディアデータ（コンテンツ）を液晶表示部１０に再生表示させるとともに、ＨＤＭＩ接続部１５に接続されたＤＬＮＡに非対応のテレビジョン装置５に対して、液晶表示部１０により再生表示するメディアデータと同じメディアデータ（コンテンツ）を再生表示させることが可能なように携帯情報処理装置１を構成している。このように構成することによって、メディアデータ（コンテンツ）を携帯情報処理装置１とテレビジョン装置５との両方において同時に再生表示することができる。
【００４５】
また、本実施形態では、上記のように、携帯情報処理装置１をＤＭＣとして、ＤＭＳのメディアデータをＤＭＲとしてのテレビジョン装置３に再生表示させる制御を行うとともに、液晶表示部１０にＤＭＣとしての表示をさせることが可能に構成されている。このように構成すれば、ＤＬＮＡに対応したテレビジョン装置３がホームネットワークに接続されている場合には、携帯情報処理装置１をＤＭＣとして用いて液晶表示部１０にＤＭＣとしての表示をさせながら、ホームネットワーク内のメディアデータ（コンテンツ）をテレビジョン装置３に再生表示させることができる。
【００４６】
また、本実施形態では、上記のように、ＨＤＭＩ接続部１５は、ホームネットワークを介さずに接続されたテレビジョン装置５とＨＤＭＩ接続可能なＨＤＭＩ接続部１５を含む。このように構成すれば、携帯情報処理装置１のＨＤＭＩ接続部１５とテレビジョン装置５とをＨＤＭＩ接続することにより、メディアデータのみならず制御信号等も容易に送ることができるので、容易に携帯情報処理装置１とＤＬＮＡに非対応のテレビジョン装置５とを連携させることができる。また、一本のケーブルを用いて携帯情報処理装置１とテレビジョン装置５とを接続することができるので、ユーザが容易に携帯情報処理装置１とテレビジョン装置５とを接続することができる。
【００４７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
たとえば、上記実施形態では、携帯情報処理装置１とＤＬＮＡ非対応のテレビジョン装置５とをＨＤＭＩ接続する例について説明したが、本発明はこれに限らず、携帯情報処理装置１からホームネットワークを介さずにテレビジョン装置５にメディアデータを出力することが可能であれば、どのような接続方式にも適用可能である。また、携帯情報処理装置１とＤＬＮＡ非対応のテレビジョン装置５とをホームネットワークを介さずに無線によって接続してもよい。
【００４９】
また、上記実施形態では、ＤＬＮＡに対応する機器で構成されるホームネットワークシステムに本発明を適用した例を説明したが、本発明はこれに限らず、異なるベンダ（機器メーカ）が提供する機器同士の相互通信を可能にするような規格であるＤＬＮＡと実質的に均等な規格またはＤＬＮＡの機能に別の機能を付加した規格などを用いて構成されるネットワークにも適用可能である。
【００５０】
また、上記実施形態では、テレビジョン装置５が携帯情報処理装置１にＨＤＭＩ接続された場合にはメディアデータ（コンテンツ）の再生表示先がＨＤＭＩ接続されたテレビジョン装置５に決定される例について説明したが、本発明はこれに限らず、ＨＤＭＩ接続した場合にも、ＨＤＭＩ接続したテレビジョン装置５とホームネットワークに接続されたテレビジョン装置３などとの間で選択可能にしてもよい。
【００５１】
また、上記実施形態では、ＤＬＮＡに非対応のテレビジョン装置５を携帯情報処理装置１にＨＤＭＩ接続する例について説明したが、本発明はこれに限らず、ＤＬＮＡに対応したテレビジョン装置３を携帯情報処理装置１にＨＤＭＩ接続してもよい。
【００５２】
また、上記実施形態では、携帯情報処理装置１の液晶表示部１０をＬＣＤにより構成した例について説明したが、本発明はこれに限らず、ＰＤＰ（Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）、ＦＥＤ（Ｆｉｅｌｄ  Ｅｍｉｓｓｉｏｎ  Ｄｉｓｐｌａｙ）などにより構成してもよい。
【００５３】
また、上記実施形態では、「第１外部表示装置」および「第２外部表示装置」の一例として、テレビジョン装置を用いる例について説明したが、本発明はこれに限らず、単なるディスプレイ装置やプロジェクタなど、再生表示機能を有する機器であればよい。
【００５４】
また、上記実施形態では、「可搬型記録媒体」の一例として、ＵＳＢメモリやハードディスクなどの外部記憶装置およびＳＤカード５０を用いたが、本発明はこれに限らず、メモリスティックやＰＣカードなどの他のメモリカードを用いてもよい。
【００５５】
また、上記実施形態では、無線ＬＡＮ接続部１２によって携帯情報処理装置１をネットワークに接続する例について説明したが、本発明はこれに限らず、ＬＡＮケーブルや電灯線などを用いた有線ＬＡＮによってネットワークに接続してもよい。
【符号の説明】
【００５６】
１  携帯情報処理装置
２  メディア保有機器（デジタルメディアサーバ、ＤＬＮＡ対応機器）
３  テレビジョン装置（デジタルメディアレンダラ、第２外部表示装置、ＤＬＮＡ対応機器）
４  ルータ（ＤＬＮＡ対応機器）
５  テレビジョン装置（第１外部表示装置）
１０  液晶表示部（内蔵表示部）
１２  無線ＬＡＮ接続部（通信部）
１４  ＳＤカード接続部（記録媒体接続部）
１５  ＨＤＭＩ接続部（外部表示装置接続部）
１６  ＵＳＢ接続部（記録媒体接続部）
１８ａ  ＣＰＵ（制御部）
１８ｂ  フラッシュメモリ（内蔵メモリ）
【図１】
0005471453.tif 000002
【図２】
0005471453.tif 000003
【図３】
0005471453.tif 000004
【図４】
0005471453.tif 000005
【図５】
0005471453.tif 000006
【図６】
0005471453.tif 000007
【図７】
0005471453.tif 000008
【図８】
0005471453.tif 000009